(57)【要約】【課題】自動取引装置の利用率の低い店舗であっても自動取引装置に備えられたカメラの稼働率を向上させる。【解決手段】取引を行なう顧客を撮影する顧客撮影カメラ位置ならびに店舗の様子を撮影する店舗撮影カメラ位置を示すカメラ位置情報に基づいてカメラ８を顧客撮影カメラ位置または店舗撮影カメラ位置へ移動させるようにし、顧客が自動取引装置で取引を実行しているとき、顧客撮影のカメラ位置へ移動させて顧客を撮影し、取引を実行していないとき、カメラを店舗撮影のカメラ位置へ移動させて店舗の様子を撮影するようにした。【選択図】        図１
2007219936.tif 000002
【特許請求の範囲】
【請求項１】
顧客との間で商取引を行う店舗に設置され、顧客の操作を受け付けて取引を行なう自動取引装置において、
画像を撮影するカメラと、
取引を行なう顧客を撮影する顧客撮影カメラ位置ならびに店舗の様子を撮影する店舗撮影カメラ位置を示すカメラ位置情報を記憶する記憶部と、
該記憶部から読み出したカメラ位置情報に基づいて前記カメラを顧客撮影カメラ位置または店舗撮影カメラ位置へ移動させるカメラ位置制御手段と、
取引の実行中か否かを判定する取引実行判定手段とを設け、
前記取引実行判定手段により、取引を実行していると判定されたとき、前記カメラを顧客撮影のカメラ位置へ移動させ、取引を実行していないと判定されたとき、前記カメラを店舗撮影のカメラ位置へ移動させて画像を撮影するようにしたことを特徴とする自動取引装置。
【請求項２】
請求項１の自動取引装置において、
前記カメラ位置情報を、係員が行なう保守操作により顧客を撮影するカメラの位置および店舗を撮影するカメラの位置を決定させて記憶部に記憶させるようにしたことを特徴とする自動取引装置。
【請求項３】
請求項１または請求項２の自動取引装置において、
前記カメラで撮影した画像データを、顧客撮影カメラ位置で撮影した画像データと店舗撮影カメラ位置で撮影した画像データに区分して記憶部に記憶させるようにしたことを特徴とする自動取引装置。
【請求項４】
請求項３の自動取引装置において、
前記顧客撮影カメラ位置で撮影した画像データおよび店舗撮影カメラ位置で撮影した画像データを、それぞれの送信先へ送信するようにしたことを特徴とする自動取引装置。
【発明の詳細な説明】
【技術分野】
【０００１】
本発明は、コンビニエンスストア等の店舗に設置され、内蔵されたカメラで顧客の映像を撮影する現金自動預払機等の自動取引装置に関する。
【背景技術】
【０００２】
従来の自動取引装置は、自動取引装置を操作する顧客をその自動取引装置の前面に内蔵されたカメラで撮影し、その画像データを自動取引装置管理会社等に設置された自動取引装置監視サーバ等へ送信してデータベース等に保存するようにしていた。
一方、自動取引装置が設置された店舗内の様子は店舗の天井等に設置された監視カメラで撮影し、その画像データを警備会社等の店舗監視センタ等に設置された店舗監視サーバ等へ送信してデータベース等に保存するようにしていた。
【０００３】
また、金融機関等の店舗では自動取引装置が設置された領域の顧客を監視するための複数のカメラおよび窓口カウンターを監視するための窓口カメラを設置して自動取引装置を操作する顧客および店舗内の様子を監視するようにしているものもある（例えば、特許文献１参照）。
【特許文献１】特開２００２−２１５８９２号公報（段落「００１３」〜段落「００１６」、図２）
【発明の開示】
【発明が解決しようとする課題】
【０００４】
しかしながら、上述した従来の技術においては、自動取引装置を操作する顧客を監視するカメラは顧客の操作により入金や出金等の取引を行っているときにその顧客を撮影し、取引を行っていないときは撮影を行わず、自動取引装置の利用率の低い店舗ではカメラが使用される時間は極めて少なく、カメラの稼働率が低いという問題がある。
また、自動取引装置が設置された店舗では、一店舗あたり自動取引装置に内蔵されるカメラおよび店舗に設置されるカメラの２台以上の設置が必要であり、コストがかかるという問題がある。
【０００５】
本発明は、このような問題を解決することを課題とする。
【課題を解決するための手段】
【０００６】
そのため、本発明は、顧客との間で商取引を行う店舗に設置され、顧客の操作を受け付けて取引を行なう自動取引装置において、画像を撮影するカメラと、取引を行なう顧客を撮影する顧客撮影カメラ位置ならびに店舗の様子を撮影する店舗撮影カメラ位置を示すカメラ位置情報を記憶する記憶部と、該記憶部から読み出したカメラ位置情報に基づいて前記カメラを顧客撮影カメラ位置または店舗撮影カメラ位置へ移動させるカメラ位置制御手段と、取引の実行中か否かを判定する取引実行判定手段とを設け、前記取引実行判定手段により、取引を実行していると判定されたとき、前記カメラを顧客撮影のカメラ位置へ移動させ、取引を実行していないと判定されたとき、前記カメラを店舗撮影のカメラ位置へ移動させて画像を撮影するようにしたことを特徴とする。
【発明の効果】
【０００７】
このようにした本発明は、自動取引装置の利用率の低い店舗であってもカメラの稼働率を向上させることができるという効果が得られる。
また、店舗に設置するカメラを削減させることができるという効果が得られる。
【発明を実施するための最良の形態】
【０００８】
以下、図面を参照して本発明による自動取引装置の実施例を説明する。
【実施例】
【０００９】
図１は実施例における自動取引装置の外観斜視図である。
図１において、１は自動取引装置であり、コンビニエンスストア等の店舗や銀行等の金融機関の店舗等に設置されるものである。この自動取引装置１は顧客の操作を受け付け、通信回線で接続された図示しないホストコンピュータ等との間で現金引出し、現金入金、振込み等の取引電文の送受信を行い、そのホストコンピュータの許可を受けて現金引出しや現金入金および振込み等の取引を行うことができるものである。
【００１０】
２は表示盤であり、ＣＲＴ（Ｃａｔｈｏｄｅ  Ｒａｙ  Ｔｕｂｅ）や液晶ディスプレイ等で構成され、顧客に取引の操作や保守員の作業を誘導する文言や図柄等を表示するためのものである。
３は操作盤であり、「０」から「９」までの数字キー、「確認」キーおよび「取消」キー等の鍵盤で構成され、顧客による暗証番号や金額等の入力操作および保守員等の係員の操作を受け付けるためのものである。
【００１１】
４は紙幣入出金口であり、顧客が投入する紙幣を受付け、また、出金する紙幣を顧客に受け渡すためのものである。
５はカード挿入返却口であり、顧客の操作によりカードの挿入を受付け、また、挿入されたカードを顧客に返却するためのものである。
６はレシート排出口であり、顧客の操作により行った取引の内容を印刷したレシートを排出するためのものである。
【００１２】
７は偏光板であり、自動取引装置１の前面に配置された表示盤２の近傍に備えられ、偏光フィルタを有するガラス板やアクリル板等の透明体で構成されたものである。
８はカメラであり、ＣＣＤ（Ｃｈａｒｇｅ  Ｃｏｕｐｌｅｄ  Ｄｅｖｉｃｅ）カメラ等の静止画および動画を撮影することができるものである。このカメラ８は自動取引装置１を操作する顧客の顔の画像および自動取引装置１が設置される店舗内の画像を撮影するためのものである。
【００１３】
自動取引装置１を操作する顧客の顔の画像を撮影する場合、図１（ａ）に示すようにカメラ８は自動取引装置１の内部である偏光板７の裏側に配置され、偏光板７の裏側から自動取引装置１を操作する顧客の顔の画像を撮影する。このとき、偏光板７により、カメラ８は顧客から見えないように構成されている。
一方、自動取引装置１が設置される店舗内の画像を撮影する場合、図１（ｂ）に示すようにカメラ８は自動取引装置１の上部に設けられたカメラタワー９内を上方へ移動し、自動取引装置１の上方から店舗内の画像を撮影する。
【００１４】
なお、このカメラタワー９はガラス板やアクリル板等の透明体で円筒状に形成されたものであり、その中をカメラ８が昇降可能に構成されたものである。
図２は実施例におけるカメラの説明図である。
図２において、１０は支柱であり、台座１１に載置されたカメラ８を下方から支えるものである。この支柱１０は図示しない正逆双方向に回転可能なステッピングモータ等の移動量を制御することができる駆動手段およびその駆動を支柱１０へ伝達するギア等の昇降機構により、図中矢印Ｃで示す方向に昇降可能に構成されたものである。したがって、この昇降機構によりカメラ８は図１（ａ）に示すように自動取引装置１の内部の所望の位置に配置することができ、また、図１（ｂ）に示すように自動取引装置１の上方の所望の位置に配置することができる。
【００１５】
また、カメラ８は、図示しない正逆双方向に回転可能なステッピングモータ等の移動量を制御することができる駆動手段やその駆動を水平方向に回転可能な台座１１へ伝達するギア等の回転機構により、図中矢印Ｂで示す方向に回転可能に構成されたものである。
さらに、カメラ８は、図示しない正逆双方向に回転可能なステッピングモータ等の移動量を制御することができる駆動手段やその駆動を鉛直方向に回転可能な台座１１へ伝達するギア等の回転機構により、図中矢印Ａで示す方向に回転可能に構成されたものである。
【００１６】
このようにカメラ８は昇降可能に構成され、また、水平方向および鉛直方向に略３６０度回転可能に構成されたものである。
ここで、カメラ８が図１（ａ）に示すように自動取引装置１の内部に配置されたとき撮影される画像は図４に示す顧客の画像であり、図１（ｂ）に示すように自動取引装置１の上方に配置されたとき撮影される画像は図５に示す店舗の画像である。
【００１７】
図３は実施例における自動取引装置および店舗監視システムの構成を示すブロック図である。
まず、自動取引装置１の構成を説明する。
図３において、２１は表示部であり、表示盤２に取引選択画面、顧客が選択した取引に対して顧客の入力操作等の誘導を行なう画面および入力された情報等を表示させ、また、係員が行う保守作業の選択画面や作業の状況等を表示させるものである。
【００１８】
２２は操作部であり、顧客や係員が操作盤３で行なう入力操作等を検知するものである。この操作部２２で検知した入力操作等は後述する制御部に信号を出力して通知する。
２３はカードリーダ部であり、カード読取り書込み機構およびカード搬送機構等を備えたものである。このカードリーダ部２３は、顧客によりカード挿入返却口５から挿入されたカードの磁気ストライプやＩＣチップ等から口座番号等の口座情報を読取る。口座番号等の口座情報を読取ったカードはカード挿入返却口５から排出して顧客に返却する。このカード挿入返却口５はカードの挿入を検知する機構およびカードの受取りを検知する機構を設けたものである。
【００１９】
２４はレシートプリンタ部であり、印刷機構およびレシート搬送機構を備え、顧客が行なう取引の内容や係員が行なう保守作業の結果等をレシートに印刷するものである。また、印刷されたレシートをレシート搬送機構により搬送してレシート排出口６から排出する。
２５は入出金部であり、紙幣入出金機で構成されたものである。この入出金部２５は現金引出し取引や現金入金取引に伴う紙幣の入出金処理を行なう。ここで、入金処理とは顧客が紙幣入出金口４に投入した紙幣を紙幣入出金機で計数して金庫に収納することである。また、出金処理とは顧客の操作により指定した金額に相当する紙幣を紙幣入出金機の金庫から繰り出して計数し紙幣入出金口４に搬送して顧客に払い出すことである。
【００２０】
この紙幣入出金口４は挿入された紙幣を検知する機構および搬送された紙幣の受取りを検知する機構を設けたものである。
２６はカメラ部であり、カメラ８を所望の位置に配置させるカメラ位置制御手段２６１およびカメラ８により静止画や動画を撮影する撮影手段２６２で構成されたものである。
カメラ位置制御手段２６１は上述した昇降機構および回転機構により、カメラの移動先（位置）を示すカメラ位置情報に基づいてカメラ８を所望の位置に配置するものである。
【００２１】
撮影手段２６２はカメラ８に電気信号を供給することで撮影の開始および終了を制御するものである。
２７は記憶部であり、半導体メモリや磁気ディスク等で構成され情報を記憶し、記憶した情報を読取ることができるものである。この記憶部２７には自動取引装置１全体の動作を制御する制御プログラム（ソフトウェア）、上述したカメラ位置情報、カメラ部２６の制御によりカメラ８で撮影された画面データおよび顧客が行なう取引に必要な情報等を記憶する。
【００２２】
２８は制御部であり、ＣＰＵ（Ｃｅｎｔｒａｌ  Ｐｒｏｃｅｓｓｉｎｇ  Ｕｎｉｔ）等の演算および制御手段等で構成されたものである。この制御部２８は表示部２１、操作部２２、カードリーダ部２３、レシートプリンタ部２４、入出金部２５、カメラ部２６、記憶部２７および通信制御を行う図示しない通信部を含めて自動取引装置１全体の動作を記憶部２７に格納された制御プログラム（ソフトウェア）に基づいて制御する。
【００２３】
このように自動取引装置１は表示部２１、操作部２２、カードリーダ部２３、レシートプリンタ部２４、入出金部２５、カメラ部２６、記憶部２７および制御部２８等により構成されたものである。
次に、店舗監視システムの構成を説明する。
３１は自動取引装置監視サーバであり、自動取引装置管理会社等に設置され、通信回線３０を介して自動取引装置１等と相互に通信可能に接続されたものである。この自動取引装置監視サーバ３１は、ＣＰＵ等の演算および制御手段、磁気ディスク、半導体メモリ等の記憶手段および通信手段等を備え、自動取引装置１のカメラ部２６で撮影された顧客の画像データを自動取引装置１から受信して保存するものである。
【００２４】
３２は店舗監視サーバであり、警備会社やコンビニエンスストア運営会社等の店舗監視センタ等に設置され、通信回線３０を介して自動取引装置１等と相互に通信可能に接続されたものである。この店舗監視サーバ３２は、ＣＰＵ等の演算および制御手段、磁気ディスク、半導体メモリ等の記憶手段および通信手段等を備え、自動取引装置１のカメラ部２６で撮影された店舗の様子の画像データを自動取引装置１から受信して保存するものである。
【００２５】
このように店舗監視システムは通信回線３０を介して相互に通信可能に接続された自動取引装置１、自動取引装置監視サーバ３１および店舗監視サーバ３２等で構成されたものである。
上述した構成の作用について説明する。
【００２６】
なお、以下に説明する各部の動作は、図示しないメモリや磁気ディスク等の記憶手段に格納されたプログラム（ソフトウェア）に基づいて図示しない中央処理装置等の制御手段により制御される。
まず、自動取引装置１で行なうカメラの位置を調整する方法について説明する。
図６は実施例におけるカメラ位置の情報を設定する処理のフローチャートであり、図中Ｓで表すステップにしたがって説明する。
【００２７】
Ｓ１：自動取引装置１の操作部２２は自動取引装置１を設置等する係員による保守機能を起動する操作を操作盤３で受け付ける。保守機能を起動する操作を受け付けると制御部２８は記憶部２７に記憶された保守専用プログラムを起動してカメラの位置を調整する保守を開始させる。
Ｓ２：カメラの位置を調整する保守を開始させると制御部２８の指示により表示部２１はカメラ位置調整選択画面を表示させる。このカメラ位置調整選択画面は店舗の様子を撮影するカメラの位置を設定する「店舗撮影のカメラ位置」、自動取引装置１を操作する顧客を撮影するカメラの位置を設定する「顧客撮影のカメラ位置」等の文言で構成されたものである。
【００２８】
係員は「店舗撮影のカメラ位置」の文言に対応する操作盤３の操作キーまたは「顧客撮影のカメラ位置」の文言に対応する操作盤３の操作キーを押下する。
操作部２２で操作キーの押下を受け付けると制御部２８は「店舗撮影のカメラ位置」の文言に対応する操作キーまたは「顧客撮影のカメラ位置」の文言に対応する操作キーのいずれかが押下されたかを判定する。
【００２９】
制御部２８が「店舗撮影のカメラ位置」の文言に対応する操作キーが押下されたと判定すると処理をＳ３へ移行し、「顧客撮影のカメラ位置」の文言に対応する操作キーが押下されたと判定すると処理をＳ７へ移行する。
Ｓ３：制御部２８の指示によりカメラ部２６の撮影手段２６２はカメラ８で撮影を開始させ、表示部２１はその撮影した映像を表示盤２に表示させる。
【００３０】
Ｓ４：係員は表示盤２に表示された映像を見ながら操作盤３のキー操作によりカメラ８の位置を調整する。
ここで、支柱１０を昇降させるキー、カメラ８を水平方向に回転させるキー、カメラ８を鉛直方向に回転させるキーが予め設定されているものとし、それらのキーの操作を操作部２２で受付け、その操作を検知した制御部２８が支柱１０およびカメラ８の移動方向ならびに移動量をカメラ部２６のカメラ位置制御手段２６１へ指示するものとする。
【００３１】
その指示を受け付けたカメラ位置制御手段２６１は指示された移動方向ならびに移動量にしたがって駆動手段により支柱１０およびカメラ８を移動させる。
このようにしてカメラ８が撮影する映像を係員の操作により調整する。
Ｓ５：適切なカメラ８の位置が決定すると係員は操作盤３の「確認」キー等を押下してそのカメラ８の位置を決定させる。
【００３２】
Ｓ６：「確認」キー等の押下を操作部２２で受付け、その押下を検知した制御部２８は決定されたカメラ８の位置を表す数値等の情報を店舗撮影のカメラ位置情報として記憶部２７に記憶させる。このようにして店舗撮影のカメラ位置の調整を行う。
Ｓ７：一方、Ｓ２において「顧客撮影のカメラ位置」の文言に対応する操作キーが押下されたと判定すると制御部２８の指示によりカメラ部２６の撮影手段２６２はカメラ８で撮影を開始させ、表示部２１はその撮影した映像を表示盤２に表示させる。
【００３３】
Ｓ８：係員は表示盤２に表示された映像を見ながら操作盤３のキー操作によりカメラ８の位置を調整する。
ここで、支柱１０を昇降させるキー、カメラ８を水平方向に回転させるキー、カメラ８を鉛直方向に回転させるキーが予め設定されているものとし、それらのキーの操作を操作部２２で受付け、その操作を検知した制御部２８が支柱１０およびカメラ８の移動方向ならびに移動量をカメラ部２６のカメラ位置制御手段２６１へ指示するものとする。
【００３４】
その指示を受け付けたカメラ位置制御手段２６１は指示された移動方向ならびに移動量にしたがって駆動手段により支柱１０およびカメラ８を移動させる。
このようにしてカメラ８が撮影する映像を係員の操作により調整する。
Ｓ９：適切なカメラ８の位置が決定すると係員は操作盤３の「確認」キー等を押下してそのカメラ８の位置を決定させる。
【００３５】
Ｓ１０：「確認」キー等の押下を操作部２２で受付け、その押下を検知した制御部２８は決定されたカメラ８の位置を表す数値等の情報を顧客撮影のカメラ位置情報として記憶部２７に記憶させる。このようにして顧客撮影のカメラ位置の調整を行う。
次に、カメラ８を移動させる処理を説明する。
図７は実施例におけるカメラを移動する処理のフローチャートであり、図中Ｓで表すステップにしたがって説明する。
【００３６】
Ｓ２１：制御部２８は記憶部２７に記憶された運用プログラムを起動して現金引出しや現金入金および振込み等の取引の受付けを開始させるものとする。
Ｓ２２：制御部２８の取引実行判定手段は、取引中か否か、すなわち、顧客の操作による取引を行なっているか否かを判定する。取引を行なっていると判定すると処理をＳ２３へ移行し、取引を行なっていないと判定すると処理をＳ２４へ移行する。
【００３７】
ここで、上記取引実行判定手段が行なう判定は、顧客により取引の選択操作を操作部２２で受け付けたことを制御部２８が検知したとき取引を行なっていると判定し、顧客の操作により行なう取引が終了したときから新たな取引の選択操作を操作部２２で受け付けるまで間を、取引を行なっていないと判定するものとする。
また、超音波センサ等で構成された図示しない近接センサにより自動取引装置１に接近した顧客の存在の有無を検知するようにしてもよい。このとき、接近した顧客が存在すると判定すると処理をＳ２３へ移行し、接近した顧客が存在しないと判定すると処理をＳ２４へ移行する。
【００３８】
Ｓ２３：Ｓ２２において取引を行なっていると判定すると制御部２８は記憶部２７に記憶させた顧客撮影のカメラ位置情報を読み出し、カメラ部２６にカメラ８を読み出した顧客撮影のカメラ位置へ移動させる指示を出力する。
指示を受けたカメラ部２６のカメラ位置制御手段２６１は顧客撮影のカメラ位置情報にしたがってカメラ８を顧客撮影のカメラ位置へ移動させる。
【００３９】
Ｓ２４：一方、Ｓ２２において取引を行なっていないと判定すると制御部２８は記憶部２７に記憶させた店舗撮影のカメラ位置情報を読み出し、カメラ部２６にカメラ８を読み出した店舗撮影のカメラ位置へ移動させる指示を出力する。
指示を受けたカメラ部２６のカメラ位置制御手段２６１は店舗撮影のカメラ位置情報にしたがってカメラ８を店舗撮影のカメラ位置へ移動させる。
【００４０】
なお、Ｓ２２で行なわれる取引中か否か判定は、常時行なわれるものとする。
このようにして移動させたカメラ８で店舗の様子および自動取引装置１を操作する顧客を撮影する。
カメラ８で撮影された画像データは制御部２８により記憶部２７に記憶される。記憶部２７に記憶される画像データは、例えば図８に示す形式で記憶されるものとする。
【００４１】
図８において、画像データ４０は顧客撮影画像データ１（４１）、店舗撮影画像データ１（４２）、顧客撮影画像データ２（４３）、顧客撮影画像データ３（４４）およびマーキングデータ４５で構成されたものである。
顧客撮影画像データ１（４１）、顧客撮影画像データ２（４３）、顧客撮影画像データ３（４４）は顧客撮影のカメラ位置へ移動されたカメラ８で撮影された画像データであり、店舗撮影画像データ１（４２）は店舗撮影のカメラ位置へ移動されたカメラ８で撮影された画像データである。
【００４２】
また、マーキングデータ４５は顧客撮影画像データと店舗撮影画像データとを区分するためのデータである。
制御部２８は一定の周期（例えば、1時間毎）で記憶部２７に記憶された画像データ４０の顧客撮影画像データを自動取引装置監視サーバ３１へ、また、店舗撮影画像データを店舗監視サーバ３２へ送信するものとする。
【００４３】
このとき、制御部２８は画像データ４０のマーキングデータ４５を検出して顧客撮影画像データおよび店舗撮影画像データをひとつのブロックとして送信するものとする。したがって、顧客撮影画像データ２（４３）および顧客撮影画像データ３（４４）はひとつのブロックとして送信される。
顧客撮影画像データを受信した自動取引装置監視サーバ３１および店舗撮影画像データを受信した店舗監視サーバ３２は受信した画像データをそれぞれのデータベース等に格納するものとする。
【００４４】
以上説明したように、本実施例では、自動取引装置を操作する顧客を監視するカメラは顧客の操作により入金や出金等の取引を行っているときにその顧客を撮影し、取引を行っていないときは店舗内の様子を撮影するようにしたことにより、自動取引装置の利用率の低い店舗であってもカメラの稼働率を向上させることができるという効果が得られる。
また、設置するカメラを削減させることができるという効果が得られる。
【００４５】
さらに、夜間等の店舗を閉店した後であっても店舗内を自動取引装置で監視することができるという効果が得られる。
【図面の簡単な説明】
【００４６】
【図１】実施例における自動取引装置の外観斜視図
【図２】実施例におけるカメラの説明図
【図３】実施例における自動取引装置および店舗監視システムの構成を示すブロック図
【図４】実施例における顧客を撮影した映像の説明図
【図５】実施例における店舗内を撮影した映像の説明図
【図６】実施例におけるカメラ位置の情報を設定する処理のフローチャート
【図７】実施例におけるカメラを移動する処理のフローチャート
【図８】実施例における記憶部に記憶される画像データの形式を示す説明図
【符号の説明】
【００４７】
１    自動取引装置
２    表示盤
３    操作盤
４    紙幣入出金口
５    カード挿入返却口
６    レシート排出口
７    偏光板
８    カメラ
９    カメラタワー
１０  支柱
２１  表示部
２２  操作部
２３  カードリーダ部
２４  レシートプリンタ部
２５  入出金部
２６  カメラ部
２６１  カメラ位置制御手段
２６２  撮影手段
２７  記憶部
２８  制御部
３０  通信回線
３１  自動取引装置監視サーバ
３２  店舗監視サーバ
【図１】
2007219936.tif 000003
【図２】
2007219936.tif 000004
【図３】
2007219936.tif 000005
【図４】
2007219936.tif 000006
【図５】
2007219936.tif 000007
【図６】
2007219936.tif 000008
【図７】
2007219936.tif 000009
【図８】
2007219936.tif 000010